(57)【要約】【課題】長さや幅、大きさ形状などを任意に変更して使い勝手の良い利用ができる布団や、均一な全体形状に整然と並べて使用できる座布団又はクッションや、場合によっては簡易寝袋状につなげて利用できる小型布団など、あらゆる緩衝機能を有する物体の利用において必要部分又は不要部分を任意の形状に構成できる緩衝物充填体の利用を可能にすること。【解決手段】緩衝物充填袋を包装することができる袋カバー体と、前記袋カバー体の上下左右端部近傍に敷設された連結部とを具備する連結袋カバー体であって、複数の前記緩衝物充填袋を包装する袋カバー体の前記連結部を互いに連結させることによって任意の形状の前記緩衝物充填袋を包装する連結袋カバー体を形成することができる緩衝物充填袋用連結袋カバー体。【選択図】図１
2020014709.tif 000002
【特許請求の範囲】
【請求項１】
緩衝物充填体を包装することができる袋状カバー体と、
前記袋状カバー体の上下左右端部近傍に敷設された連結部と、
を具備する連結袋状カバー体であって、
複数の前記緩衝物充填体を包装する袋状カバー体の前記連結部を互いに連結させることによって任意の形状又は大きさの前記緩衝物充填体の連結体を形成することができる緩衝物充填体用連結袋状カバー体。
【請求項２】
前記緩衝物充填体は、ふとん及び／若しくは座布団及び／若しくはクッションなどの発砲樹脂及び／若しくは断熱材及び／若しくは緩衝座板及び／若しくは保冷剤・冷却剤及び／若しくは薬剤であって、
前記袋状カバー体は、前記緩衝物充填体の袋状カバーであって、
前記連結部は、ボタン及び／若しくはボタン掛け及び／若しくはマジックテープ（登録商標）及び／若しくはホック及び／若しくはファスナー及び／若しくは紐及び／若しくは紐かけボタンであることを特徴とする請求項１に記載の緩衝物充填体用連結袋状カバー体。
【請求項３】
前記連結部の位置は、前記袋状カバー体の袋状の上下部の端部及び／若しくは左右部の端部に複数個所敷設されており、又は前記袋状カバー体の袋状の上下左右部の端部に沿って敷設されており、
前記上下部の端部及び左右部の端部の前記連結部は互いに連結できる凹部及び／若しくは凸部であることを特徴とする請求項１乃至２の何れか１項に記載の緩衝物充填体用連結袋状カバー体。
【請求項４】
前記任意の形状の前記緩衝物充填体を包装する連結袋状カバー体は、連結後の全体の上端部及び下端部を更に連結させることにより、及び／若しくは連結後の全体の左右端部を更に連結させることにより、前記緩衝物充填体の連結全体が筒状及び／若しくは袋状及び／若しくは密封袋状を形成することを特徴とする請求項１乃至３の何れか１項に記載の緩衝物充填体用連結袋状カバー体。
【発明の詳細な説明】
【技術分野】
【０００１】
本発明は、着脱可能な複数の布団・クッション・断熱材・保冷剤などの緩衝体の袋状カバーに関する。
【背景技術】
【０００２】
一般に、布団は袋状に形成された布地の中に、綿や羽毛、ポリエステル等の保温材、緩衝材が充填されており、適宜箇所が縫って係止されたりしている。また布団に限らず、緩衝機能を有する物体は余多あり、我々は一般的にそれらを布地の中に充填密閉して適時適所で利用活用している。本発明の説明においては、それらの緩衝機能を有する物体を充填したものを緩衝物充填体と称して記載する。緩衝物としては、例えば、クッションなどの発砲樹脂や断熱材、保冷剤、冷却材、乾燥剤、漢方などの薬剤なども広義に該当するものとする。
【０００３】
例えば、緩衝物充填体の代表例のひとつである布団を例にとると、これらの布団は、布団の一部に汚れ損傷や機能の低下部分が生じた場合に、他の布地や中綿に損傷が殆ど無いにもかかわらず、全体を交換しなければならなかった。 そこで、これらの欠点を解消するべく、布団カバーで全体を包装し、汚れや部分的損傷等の予防且つ簡易洗浄対策としていた。
【０００４】
また、大きな布団、例えば掛け布団の場合、身体全体を覆ってしまうため、身体全体を保温してしまい、足の一部や身体の一部だけを冷やしたい場合などは使い勝手が悪い。また、病院などの入院治療などにおいても、患部に重い布団を載せたくない場合など、大きな一体の掛布団では都合が悪い場合など多い。
【０００５】
例えば、掛布団を複数の小さな分割片の連結体とした場合は、着脱可能な複数の分割片を単に並べて構成し、機能の低下した分割片のみを取り替える寝具となる。例えば、特許文献１（特開２００６−２３０４５６広報）には、掛け布団用寝具において保温材が充填された複数のピース連結体と、基布とを有する掛け布団用寝具であって、前記複数のピース連結体が、前記基布に着脱可能に連結されていることを特徴とする技術開示が成されている。
【０００６】
しかし、特許文献１の技術思想は、連結された大きな一枚の掛布団を前提としており、分割片の連結によって生ずる保温性や空冷性の利用を布団全体で享受することに限定している。分割片は一枚の完全な布団状に形成されている以上、本発明に係る課題を解決するには至っていない。また、分割片を任意形状に連結させるというような技術思想の例示や言及もまったく成されていない。
【先行技術文献】
【特許文献】
【０００７】
【特許文献１】特開２００６−２３０４５６公報
【発明の概要】
【発明が解決しようとする課題】
【０００８】
上述したように、例えば保温目的の寝具である布団を一例にすると、使用者が望む部分のみを保温し、又は使用者が望む部分のみを冷却し、加えて使用者が望む部分のみを不要とするような形状の布団であって、任意にその形状および構成を変えて利用できる布団を考案し提供することが本発明の課題である。そして、上記一例の布団に限らず、あらゆる緩衝機能を有する物体の利用においても同様に、必要部分又は不要部分を任意の形状に構成でき、使い勝手の良い緩衝物充填体の利用を可能にする考案を提供することが課題である。
【課題を解決するための手段】
【０００９】
上記のような長さや幅、大きさ、形状などを任意に変更して使い勝手の良い利用ができる布団や、均一な全体形状に整然と並べて使用できる座布団又はクッションや、場合によっては簡易寝袋状につなげて利用できる小型布団など、より快適な緩衝材物充填体の利用ができるようにすることを企図して本発明は考案された。
【００１０】
かかる課題を解決するため、本発明に係る緩衝物充填体用連結袋カバー体は、緩衝物充填体を包装することができる袋状カバー体と、前記袋状カバー体の上下左右端部近傍に敷設された連結部とを具備する連結袋状カバー体であって、複数の前記緩衝物充填体を包装する袋状カバー体の前記連結部を互いに連結させることによって任意の形状の前記緩衝物充填体を包装する連結袋状カバー体を形成することができることを特徴とする。
【００１１】
また本発明に係る緩衝物充填体用袋状カバー体の前記緩衝物充填体は、ふとん及び／若しくは座布団及び／若しくはクッションなどの発砲樹脂及び／若しくは断熱材及び／若しくは緩衝座板及び／若しくは冷却剤・保冷剤及び／若しくは薬剤であって、前記袋状カバー体は、前記緩衝物充填体の袋状カバーであって、前記連結部は、ボタン及び／若しくはボタン掛け及び／若しくはマジックテープ（登録商標）及び／若しくはホック及び／若しくはファスナー及び／若しくは紐及び若しくは紐かけボタンであることを特徴とすることができる。
【００１２】
上記の緩衝物充填体は、ふとん及び／若しくは座布団及び／若しくはクッションなどの発砲樹脂及び／若しくは断熱材及び／若しくは緩衝座板及び／若しくは保冷剤・冷却剤及び／若しくは漢方などの薬剤等を明示しているが、緩衝物充填体は他にも様々なものがあり、それらは全て緩衝物充填体として内包されるものである。また大きさや形状、材質などを限定するものではない。
【００１３】
また、本発明に係る緩衝物充填体用袋状カバー体は、その大きさ、形状、材質を限定するものではなく、好ましくは内包する緩衝物充填体の大きさ及び形状に近似することがよい。また緩衝物充填体用袋状カバー体は、形態が袋状ではあるが、その袋口は従来の技術によって封印、密閉することができる形態をとってもよいことは言うまでもない。
【００１４】
前記連結部については、連結方法において様々な形態が従来技術から対応できるが、これらは本発明思想に内包されるものであり、また均等的形態においても本発明の技術思想に含まれることは言うまでもない。
【００１５】
本発明に係る緩衝物充填体用袋状カバー体の前記緩衝物充填体の前記連結部の位置は、前記袋状カバー体の袋状の上下部の端部及び左右部の端部に複数個所敷設され、又は前記袋状カバー体の袋状の上下左右の端部に沿って敷設されており、前記上下部の端部及び左右部の端部の前記連結部は互いに連結できる凹部及び／若しくは凸部である形態をとることもできる。
【００１６】
つまりホックは凸体と凹体をセットにして結合するのであるから、本発明に係る緩衝物充填体用袋状カバー体の左端部が凸体連結部を敷設していたのであれば、右端部は凹体連結部を敷設していれば左右の連結が可能になる。同様に上下方向の連結も同じである。この形態は、ボタンもマジックテープ（登録商標）も紐かけボタン等も同様である。また、連結部が同一の例えば紐状であれば、その紐を結んで連結してもよいことは言うまでもない。
【００１７】
本発明に係る緩衝物充填体用袋状カバー体の任意の形状の前記緩衝物充填体を包装する連結袋状カバー体は、連結後の全体の上端部及び下端部を更に連結させることにより、及び／若しくは連結後の全体の左右端部を更に連結させることにより、前記緩衝物充填体を包装する連結袋状カバー体全体が筒状及び／若しくは袋状及び／若しくは密封袋状を形成することもできる。
【００１８】
上記のように連結後の緩衝物充填体用袋状カバー体の全体の上下又は左右を更に連結させることによって、例えば袋状の寝袋を形成することもできるのであり、このような自由な任意の緩衝物充填体の形態を使用者は利用することができる。これらは、長さ・幅・大きさに制限はない。
【００１９】
本発明に係る緩衝物充填体用袋状カバー体は、カバー体の表側に絵などを描いたり、着色したり模様を作ったり、刺繍を施したりすることもできるため、美観もよくファッション性を備えることもできる。
【００２０】
本発明に係る緩衝物充填体用袋状カバー体の適用対象である緩衝物充填体及びその連結方法は、従来技術を用いた類似技術思想及び均等方法によっても全てが本発明の技術思想に内包されるものである。
【発明の効果】
【００２１】
このように本発明に係る緩衝物充填体用袋状カバー体によれば、長さや幅・大きさ・形状などを任意に変更して使い勝手の良い利用ができる布団や、均一な全体形状に整然と並べて使用できる座布団又はクッションや、場合によっては簡易寝袋状につなげて利用できる小型布団など、より快適な緩衝材物充填体の利用ができるようになる。緩衝体は保冷剤や薬剤であってもよく、利用者の用途に制限はなく適用が可能である。
【図面の簡単な説明】
【００２２】
【図１】本発明の一実施形態に係る緩衝物充填体用連結袋状カバー体のイメージを示した概念図である。
【図２】本発明の一実施形態に係る緩衝物充填体用連結袋状カバー体の連結したイメージを示した概念図である。
【図３】本発明の一実施形態に係る緩衝物充填体用連結袋状カバー体の連結したイメージを示した概念図である。
【図４】本発明の一実施形態に係る緩衝物充填体用連結袋状カバー体の連結した寝袋のイメージを示した概念図である。
【発明を実施するための形態】
【００２３】
以下、図面を参照して本発明を実施するための形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００２４】
図１は、本発明の一実施形態に係る緩衝物充填体用連結袋状カバー体のイメージを示した概念図である。同図に示すように、緩衝物充填体２は、緩衝物充填体用連結袋状カバー体１の中に入って内包される。つまり、緩衝物充填体２が例えば発砲ポリウレタン樹脂でできたクッションであれば、緩衝物充填体用連結袋状カバー体１は、クッションカバー袋状体である。緩衝物充填体用連結袋状カバー体１は、例えば布製であってもよい。場合によっては合成樹脂シートであってもよい。
【００２５】
図１に示すように、緩衝物充填体用連結袋状カバー体１の表側右端部には、連結部であるマジクテープ（登録商標）の凸部３が貼付され、緩衝物充填体用連結袋状カバー体１の裏側左端部には、連結部であるマジックテープ（登録商標）の凹部４が貼付されている。また、緩衝物充填体用連結袋状カバー体１の表側上端部には、連結部であるマジクテープ（登録商標）の凸部５が貼付され、緩衝物充填体用連結袋状カバー体１の裏側下端部には、連結部であるマジックテープ（登録商標）の凹部４が貼付されている。
【００２６】
図１に示すように、緩衝物充填体用連結袋状カバー体１は、その中にクッションである緩衝物充填体を内包して一つの緩衝物充填体を形成し、複数の緩衝物充填体は、緩衝物充填体用連結袋状カバー体１によって、連結部を利用して連結することができる。
【００２７】
図１に示すように、例えば連結体がマジックテープ（登録商標）であれば、その凸体と凹体を各々連結してつながることができる。連結する方向は、左右方向であっても上下方向であってもよい。場合によっては、中間に緩衝物充填体のない空間をつくってもよい。
【００２８】
図２は、本発明の一実施形態に係る緩衝物充填体用連結袋状カバー体の連結したイメージを示した概念図である。同図に示すように、緩衝物充填体用連結袋状カバー体１は、その中にクッションである緩衝物充填体２を内包して、結合部を利用して連結されている状態を示している。
【００２９】
図３は、本発明の一実施形態に係る緩衝物充填体用連結袋状カバー体の連結したイメージを示した概念図である。同図に示すように、緩衝物充填体２を内包した緩衝物充填体用連結袋状カバー体１が横一列方向に連結した態様を示している。
【００３０】
図４は、本発明の一実施形態に係る緩衝物充填体用連結袋状カバー体の連結した寝袋のイメージを示した概念図である。同図に示すように、緩衝物充填体２を内包した緩衝物充填体用連結袋状カバー体１を連結させてできた連結体全体の左右又は上下を更に連結させることによって例えば寝袋を形成することもできる。
【００３１】
本発明の一実施形態に係る緩衝物充填体用連結袋状カバー体は、例えば、緩衝物充填体が保冷剤であれば、全体を保冷することができ、また一部の緩衝物充填体を保温材にすれば、任意の位置での保冷と保温の機能を同時に発揮することもできる。同様に、例えば、緩衝物充填体が漢方剤のような薬剤であれば、全体に接触による漢方剤機能を発揮することができ、また一部の緩衝物充填体を薬剤にすれば、任意の位置での薬剤効能を発揮することもできる。
【００３２】
上記のように、本発明の一実施形態に係る緩衝物充填体用連結袋状カバー体は、その内包させる緩衝物充填体の種類を自由に選択することができ、その目的に従い機能を発揮することができる。そして、緩衝物充填体用連結袋状カバー体は、選択した内包する緩衝物充填体の大きさ・形状・用途機能に合わせて、大きさ・形状・材質を選択して好都合なものを適合させればよい。
【００３３】
本発明の一実施形態に係る緩衝物充填体用連結袋状カバー体は、任意に連結させることによって様々な用途に利用することができる。本発明は、上述した実施形態に限定されるものではなく、本発明の主旨を逸脱しない範囲内で種々変更して実施することが可能である。それらの用途別の適した形態は全て本発明の技術思想に含まれるものである。そして、従来技術を用いた均等方法も全て本発明の技術思想に内包されるものである。
【産業上の利用可能性】
【００３４】
上述したように、本願に係る発明によれば、長さや幅、大きさ形状などを任意に変更して使い勝手の良い利用ができる布団や均一な全体形状に整然と並べて使用できる座布団又はクッションや場合によっては簡易寝袋状につなげて利用できる小型布団など、より快適な緩衝材物充填体の利用ができるようにすることができる。
【００３５】
本発明は、布団や座布団に限らず、あらゆる緩衝体にも利用・適用可能である。本願は、各種産業に対しても有益性をもたらすものである。
【符号の説明】
【００３６】
１  緩衝物充填体用連結袋状カバー体
２  緩衝物充填体
３  連結体表側（マジックテープ（登録商標）凸部）
４  連結体裏側（マジックテープ（登録商標）凹部）
５  連結体表側（マジックテープ（登録商標）凸部）
６  連結体裏側（マジックテープ（登録商標）凹部）
７  寝袋
８  中空部（緩衝物充填体用連結袋状カバー体がない部分）
【図１】
2020014709.tif 000003
【図２】
2020014709.tif 000004
【図３】
2020014709.tif 000005
【図４】
2020014709.tif 000006